(57)【特許請求の範囲】
【請求項１】
メインデータを表すメインアイコンを表示するメインアイコン表示手段と、
前記メインデータの一部分として前記メインデータにサブデータが埋め込まれ又はリンク付けされている場合に、そのサブデータを表すサブアイコンを前記メインアイコンと一緒に表示するサブアイコン表示手段と、
を含み、
前記サブアイコン表示手段は、前記メインデータに複数のサブデータが埋め込まれ又はリンク付けされている場合に、個々のサブデータごとにそれを表すサブアイコンを個別表示する個別表示機能を具備し、当該個別表示機能の実行時には同じサブデータ種別に含まれる複数のサブデータについてそれぞれサブアイコンが表示される、ことを特徴とするアイコン表示処理装置。
【請求項２】
請求項１記載の装置において、
前記複数のサブアイコンは、前記メインアイコンの近傍に表示されることを特徴とするアイコン表示処理装置。
【請求項３】
請求項１記載の装置において、
前記複数のサブアイコンは、前記メインアイコンの奥側に部分的に重ねられつつ表示されることを特徴とするアイコン表示処理装置。
【請求項４】
請求項１記載の装置において、
前記各サブアイコンは前記サブデータの実体を象徴するものである、ことを特徴とするアイコン表示処理装置。
【請求項５】
請求項１記載の装置において、
前記複数のサブデータが埋め込まれ又はリンク付けされたメインデータは複数のページからなるドキュメントであり、
前記複数のサブアイコンはページ単位で区分して表示される、ことを特徴とするアイコン表示処理装置。
【請求項６】
請求項１記載の装置において、
前記複数のサブアイコンが互いに部分的に重ねられつつ密集表示される密集表示モードと、前記複数のサブアイコンが互いに部分的に重ねられつつ展開表示される展開表示モードと、を選択するモード選択手段を含むことを特徴とするアイコン表示処理装置。
【請求項７】
請求項１記載の装置において、
前記各サブアイコンは、前記サブデータの種別に対応した形態を有することを特徴とするアイコン表示処理装置。
【請求項８】
請求項１記載の装置において、
前記各サブアイコンに対する所定操作により、当該サブアイコンに対応したアプリケーションプログラムを起動する手段を含み、
前記アプリケーションプログラムによって前記所定操作がなされたサブアイコンで表されたサブデータが処理されることを特徴とするアイコン表示処理装置。
【請求項９】
請求項１記載の装置において、
前記各サブアイコンに対する所定操作により、当該サブアイコンが表しているサブデータをコピーする手段を含むことを特徴とするアイコン表示処理装置。
【請求項１０】
請求項１記載の装置において、
前記メインデータごとに各サブデータの種別及び順番を管理するためのオブジェクト管理テーブルが形成されることを特徴とするアイコン表示処理装置。
【請求項１１】
請求項１記載の装置において、
前記各サブアイコンとともにそれが表しているサブデータを特定する名称が表示される、ことを特徴とするアイコン表示処理装置。
【発明の詳細な説明】
【０００１】
【発明の属する技術分野】
本発明はアイコン表示処理装置に関し、特にメインデータ（例えばドキュメント）に埋め込まれ又はリンク付けされたサブデータ（オブジェクト又はコンテンツ）のアイコン表示に関する。
【０００２】
【従来の技術】
従来のアイコン表示処理装置においてドキュメントの一覧表示を行うと、各ドキュメントごとにアイコンが表示される。そのアイコンは、ドキュメントを象徴するものであり、そのアイコンを利用してドキュメントの選択やドキュメントに対する操作（コピーなど）を実行できる。
【０００３】
近年、ドキュメントには、そのドキュメントの一部分として、色々なデータを埋め込こんだり、あるいは色々なデータにリンクをはることができる。例えば、テキストデータ中にイメージデータやグラフデータを挿入することができる。また、音声や動画像などを挿入することもできる。それらのサブデータは、一般に、メインデータとは別のファイルとして管理されている。
【０００４】
なお、アイコンに関する技術として、特開平７−２１０３６０号公報や特開平６−２８１４５号公報に開示されたものをあげることができる。
【０００５】
【発明が解決しようとする課題】
しかしながら、従来装置においては、単にドキュメントを象徴するアイコンが表示されるだけであり、ドキュメント内に含まれるデータ（オブジェクト又はコンテンツ）の有無やその種別については、いったんドキュメントをオープンしてみなければそれを確認することができない。また、同じ理由から、ドキュメントアイコン表示状態において、ドキュメント内の独立データへ直接的にアクセスすることはできない。
【０００６】
本発明は、上記従来の課題に鑑みなされたものであり、その目的は、メインアイコンが表示されている状態において、メインデータに埋め込まれ又はリンク付けされたサブデータを直感的に認識できるようにすることにある。
【０００７】
本発明の他の目的は、メインアイコンが表示されている状態において、メインデータに埋め込まれ又はリンク付けされたサブデータを直接的にハンドリングできるようにすることにある。
【０００８】
【課題を解決するための手段】
（１）本発明は、メインデータを表すメインアイコンを表示するメインアイコン表示手段と、前記メインデータの一部分として前記メインデータにサブデータが埋め込まれ又はリンク付けされている場合に、そのサブデータを表すサブアイコンを前記メインアイコンと一緒に表示するサブアイコン表示手段と、を含み、前記サブアイコン表示手段は、前記メインデータに複数のサブデータが埋め込まれ又はリンク付けされている場合に、個々のサブデータごとにそれを表すサブアイコンを個別表示する個別表示機能を具備し、当該個別表示機能の実行時には同じサブデータ種別に含まれる複数のサブデータについてそれぞれサブアイコンが表示される、ことを特徴とするアイコン表示処理装置に関する。
【０００９】
上記構成によれば、メインアイコン表示状態において、メインデータの一部としてのサブデータを表すサブアイコンが表示され、これによってサブデータの存在などを認識できる。すなわち、サブアイコンの表示によって、メインデータの構造を直感的に認識できる。ここで、サブアイコンは、メインアイコンと同じ大きさにしてもよいが、メインアイコンより小さくしてもよい。
【００１０】
（２）望ましくは、前記サブアイコンは、前記メインアイコンの近傍に表示され、あるいは、前記サブアイコンは、前記メインアイコンの奥側に部分的に重ねられつつ表示される。
【００１１】
（３）サブデータごとにサブアイコンが表示されれば、サブデータの個数や順番を容易に認識できる。なお、サブデータの種別ごとにサブアイコンが表示されれば、どのような種別のサブデータが包含されているかを容易に認識できる。
【００１２】
（４）望ましくは、複数のサブアイコンが互いに部分的に重ねられつつ密集表示される密集表示モードと、複数のサブアイコンが互いに部分的に重ねられつつ展開表示される展開表示モードと、を選択するモード選択手段を含む。密集表示モードによれば、表示スペースを少なくして表示エリアを有効利用でき、展開表示モードによれば個々のサブデータの存在をより明確に表現できる。
【００１３】
（５）望ましくは、前記サブアイコンは、前記サブデータの種別に対応した形態を有する。この構成によれば、サブアイコンを見ただけで、サブデータの種別を把握できる。
【００１４】
（６）望ましくは、前記サブアイコンに対する所定操作により、当該サブアイコンに対応したアプリケーションプログラムを起動する手段を含み、前記アプリケーションプログラムによって前記サブアイコンで表されたサブデータが処理される。
【００１５】
上記構成によれば、メインデータに関連付けられているアプリケーションプログラムを一旦起動することなく、サブデータに関連付けられているアプリケーションプログラムを直接的に起動できる利点がある。よって、操作上の煩雑さを軽減でき、またサブデータをオープンするまでの時間を削減できる。更に、メインデータを処理するためのアプリケーションプログラムが存在しない場合でも、サブデータを直接的に操作できる利点がある。
【００１６】
（７）望ましくは、前記サブアイコンに対する所定操作により、当該サブアイコンが表しているサブデータをコピーする手段を含む。サブアイコンは、メインアイコンの移動とともに移動する付随性を有するが、メインアイコンとは別に単独で操作可能な独立性も有する。
【００１７】
（８）望ましくは、前記メインデータごとに各サブデータの種別及び順番を管理するためのオブジェクト管理テーブルが形成される。
【００１８】
（９）マルチメディアデータには、テキスト、図形、イメージ、動画、音声などの多種多様のデータが含まれる。上記のサブアイコン表示によれば、マルチメディアデータがアイコン表示された場合に、そのデータ構造を視覚化表現できる。よって、ユーザーはどのようなデータがどの程度含まれているのか直感的に認識できるという利点がある。また、各データのオープンに先立って、音量や解像度などの事前調整を行うことも可能である。
【００１９】
【発明の実施の形態】
以下、本発明の好適な実施形態を図面に基づいて説明する。
【００２０】
図１には、本発明に係るアイコン表示処理装置によるアイコン表示例が示されている。図１（Ａ）には、メインデータとしてのドキュメントＡに関する文書構造が示され、（Ｂ）には通常表示モードによるアイコン表示例が示され、（Ｃ）には本発明に係るサブアイコン表示の一例が示されている。
【００２１】
（Ａ）に示されるように、ドキュメントＡは、複数のページデータ（テキストデータ）で構成されている。例えば第１ページには、サブデータとしての埋込みデータＢ及び埋め込みデータＣが埋込まれている。埋込みデータＢは例えばグラフデータであり、埋込みデータＣは例えばイメージデータである。これらの埋込みデータＢ及びＣは、一般的には、ドキュメントＡとは別のファイルによって管理されているものであるが、ドキュメントＡをアプリケーションソフトウエア上でオープンした場合、それらの埋込みデータＢ及びＣはドキュメントＡの一部分として表示されるものである。ちなみに、ドキュメント内に埋込みデータが埋め込まれるのではなく、ドキュメントデータの一部として他のデータがリンクされる場合もある。このようなリンクデータについても本発明を適用可能である。
【００２２】
（Ｂ）に示すように、従来同様の通常表示モードによると、各ドキュメントごとにドキュメントアイコン１０が表示される。しかしながら、そのようなドキュメントアイコン１０の表示だけでは、ドキュメントＡがどのようなサブデータを包含するものであるかを認識することはできない。（Ｃ）に示すサブアイコン表示によれば、ドキュメントアイコン１０に付随してサブアイコン１２及び１４が表示される。サブアイコン１２は、埋込みデータＢを象徴するものであり、サブアイコン１４は、埋込みデータＣを象徴するものである。
【００２３】
したがって、（Ｃ）に示すサブアイコン表示によれば、メインアイコンと１又は複数のサブアイコンのグループ表示によって、メインデータにどのようなサブデータが内包されているのかを一目瞭然に確認できる利点がある。また、後述するように、各サブアイコン１２，１４に対しても独立してハンドリングを行えるという利点がある。
【００２４】
図２〜図９には、各種のサブアイコン表示例が示されている。
【００２５】
図２には、図１に示したサブアイコン表示例と同様の表示例が示されている。このような表示例において、サブアイコン１２，１４はメインアイコン１０と同じ大きさで表示される。図３には、サブアイコンの並列表示例が示されている。メインアイコン１０を左端としてその右隣りに１又は複数のサブアイコン１２，１４が表示される。このように、メインアイコンに対してサブアイコンが重合表示され、あるいはメインアイコンの近傍にサブアイコンが表示されれば、そのようなアイコンの密接な位置関係によって、メインアイコンとサブアイコンの従属関係を直感的に理解することが可能となる。
【００２６】
図４に示す小サブアイコンの重ね合わせ表示例によれば、メインアイコン１０よりも小さなサブアイコン１２’，１４’が表示され、メインアイコンとサブアイコンの関係をより強調することができる。図５に示す小サブアイコンの並列表示例によれば、図４に示した表示例と同様にメインアイコンとサブアイコンの関係をより明確に表現することができる。
【００２７】
図６に示す組合せ表示例によれば、メインアイコン１０の奥側に複数のサブアイコン１２，１４が並列表示される。このような表示例によっても、メインアイコンとサブアイコンの関係をより明確に表現することが可能となる。
【００２８】
図７には、ページ別表示例が示されている。この表示例においては、メインアイコン１０の奥側に各ページごとにサブアイコン２２〜３０が表示される。ここで、１ページ目には２つのサブデータに対応する２つのサブアイコン２２，２４が表示されており、それ以降のページにおいても同様にサブアイコンが表示されている。よって、このような表示例によれば、各ページごとにそれに含まれるサブデータの個数や種類などを把握できるという利点がある。
【００２９】
図８には、２つの表示モードが示されている。（Ａ）には各サブデータごとにサブアイコン３２〜４２を表示する個別表示モードが示され、（Ｂ）にはドキュメントに含まれるサブデータのカテゴリーごとにサブアイコン４４，４６を表示するカテゴリー別表示モードが示されている。個別表示モードによれば、ドキュメントに包含されるサブデータの順番や個数を把握でき、カテゴリー別表示モードによればドキュメントに含まれるサブデータの全カテゴリーを把握できる。
【００３０】
図９（Ａ）には、通常表示モードとしての縮小表示モードが示され、（Ｂ）には展開表示モードが示されている。縮小表示モードでは、メインアイコン１０の奥側に複数のサブアイコン４８〜５８が互いに密集した状態で左斜め下から右斜め上にかけて重ね合わせ表示される。（Ｂ）に示す展開表示モードによれば、同様の表示形態をとりつつも、各アイコン間の間隔が広げられて斜め方向にアイコンの配列が伸長される。縮小表示モードによれば、有限な表示エリアを有効利用でき、展開表示モードによれば各アイコンを明確に認識することができる。通常縮小表示モードでは、メインアイコン１０と共にメインデータのファイル名のみが表示される。一方、展開表示モードでは、メインデータのファイル名に加えて、各サブデータのファイル名も各サブアイコンの近傍に表示される。もちろん、このようなファイル名の表示の有無はユーザー選択できるように構成してもよい。
【００３１】
図１０には、データ種別ごとのアイコンの形態例が示されている。このように、データの種別すなわちカテゴリーごとに異なる形態をもったアイコンを用意しておけば、メインアイコン及びサブアイコンを見たときに直感的にそのデータの種別を認識することが可能となる。もちろん、各アイコンはデータに関連付けされているアプリケーションプログラムを象徴するものであってもよい。
【００３２】
図１１において、（Ａ）にはメインアイコン７２のみが示されている。そのような状態では、メインアイコンによって象徴されるマルチメディアデータがどのようなデータを包含するものであるかを認識することができない。これに対し、上記のサブアイコン表示によれば、（Ｂ）に示すような表示を行うことができる。（Ｂ）に示す表示例によれば、メインアイコン７２によって象徴されるメインデータに、サブアイコン７４〜７８によって象徴されるデータが含まれていることを認識でき、具体的には、テキストデータ内に表やグラフィックスが入っており、さらにサウンドも付加されているものであることを直感的に認識できる。よって、例えば（Ｂ）に示されるような表示が行われている状態で、サブアイコン７８をクリックすれば、メインアイコン７２をオープンすることなしに、サブデータとしての音声データを再生することが可能となる。また、（Ｃ）に示すような表示が行われれば、複数のサブアイコン８０〜８８によって、テキスト内にムービーが多数入っていることを認識でき、例えば、そのような認識に基づいてディスプレイを高解像度モードに切り換えるなどの事前準備を行うことが可能となる。
【００３３】
図１２〜図１５には、本実施形態に係るアイコン表示処理装置におけるアイコンのハンドリング例が示されている。
【００３４】
図１２に示すように、特定のサブアイコンをダブルクリックすれば、そのサブアイコンによって象徴されるサブデータに対応付けられたアプリケーションプログラムが起動し、すなわちウインドウ１００がオープンする。そのウインドウ１００内にはサブデータに相当するグラフデータ１０２が表現される。
【００３５】
図１３に示されるように、特定のサブアイコンをドラッグ＆ドロップすれば、これによってサブアイコン自体をコピーすることができると共に、そのサブアイコンの実体であるサブデータをコピーすることが可能となる。
【００３６】
図１４に示されるように、例えば特定のサブアイコンに対して所定操作例えば「右クリック」を実行すると、編集メニュー１０４が表示される。そして、そのメニュー内の操作項目を選択することによって、所望の操作を行うことが可能となる。
【００３７】
図１５において、複数のサブアイコンが表示されている状態で、特定のサブアイコンの表示順序を換えたいような場合、（Ａ）に示すようにそのサブアイコンを所望の位置に挿入する操作を実行する。これにより、（Ｂ）に示すように、サブアイコンの順番を換えることが可能となる。なお、この場合データの実体であるサブデータの挿入順番を換えるか否かについてはユーザー選択させればよい。
【００３８】
次に、図１６を用いて本実施形態に係るアイコン表示処理装置の構成について説明する。このアイコン表示処理装置は例えばコンピュータ上などに構築されるものである。
【００３９】
内部バス２００にはプログラムの実行及びデータ演算を行うＣＰＵ２０２が接続されている。入力部２０４は内部バス２００に接続されており、その入力部２０４は例えばキーボードやマウスなどで構成される。表示部２０６は内部バス２００に接続され、その表示部２０６は例えばディスプレイなどの装置で構成される。プログラム記憶部２０８及びデータ記憶部２１０は、例えばＲＡＭ、ＲＯＭ、ハードディスクなどの記憶装置で構成されるものであり、図１６においては、便宜上２つの記憶部２０８，２１０として表されている。
【００４０】
プログラム記憶部２０８には、ＯＳや各種のアプリケーションプログラムに加えて、本実施形態においては、アイコン操作処理プログラム２１２及びアイコン表示処理プログラム２１３が格納されている。アイコン操作処理プログラムは上述した図１２〜図１５に示したようなアイコン操作に伴う処理を実行するプログラムである。アイコン表示処理プログラム２１３は、図２〜図１１に示したようなアイコン表示に係る処理を実行するプログラムである。すなわち、メインアイコン及びサブアイコンの一体化表示を実行するものである。
【００４１】
データ記憶部２１０には、メインデータに相当するファイルやサブデータに相当するファイルが記憶される。さらに、本実施形態においては、オブジェクト管理テーブル２１４が構成される。
【００４２】
図１７には、オブジェクト管理テーブル２１４の具体的な構成例が示されている。ちなみに、このオブジェクト管理テーブル２１４は各メインデータごとに作成される。オブジェクト管理テーブル２１４では、オブジェクトとして、メインデータそのもの及び各サブデータがレコードとして管理されている。ここで、各オブジェクトには、その属性として、ファイルタイプ、表示の有無、並び順、容量、サムネイルの内容などが対応づけられている。並び順は、メインアイコン及びサブアイコンを表示した場合の順番を表すものであり、ここで、並び順「０」はメインアイコンを表している。本実施形態では、各サブアイコンごとに表示の有無を選択可能である。ちなみに、各アイコンで象徴されるメインデータおよびサブデータを参照する際には、オブジェクト管理テーブル２１４内のファイルタイプが参照され、そのファイルタイプに対応したアプリケーションプログラムが実行されることになる。
【００４３】
図１８には、オブジェクト管理テーブルの作成ルーチンが示されている。このルーチンは、例えば新しいドキュメントが読み込まれあるいは受信された場合に自動実行され、または、ユーザーによって所定の操作があった場合に自動実行される。
【００４４】
Ｓ１０１からのステップは、各ドキュメントに関して、オブジェクト管理テーブルの生成または更新の処理が行われる処理ステップである。
【００４５】
ドキュメントが選択され、そのドキュメントに対応したオブジェクト管理テーブル２１４が存在する場合にはそのオブジェクト管理テーブルを編集し、存在しない場合には新たにオブジェクト管理テーブルを作成する。
【００４６】
Ｓ１０２では、Ｓ１０１で選択されたドキュメントをメインデータとして、このメインデータの文書を解析することにより、メインデータに含まれるサブデータとしてのオブジェクトが抽出される。
【００４７】
Ｓ１０３では、Ｓ１０２で抽出されたオブジェクトについての解析を行い、オブジェクトのファイルタイプや容量などの情報を得る。
【００４８】
Ｓ１０４では、Ｓ１０３での解析結果に基づいて抽出されたオブジェクトに関するデータがオブジェクト管理テーブル２１４に順次登録される。初期設定では、登録順に並び順のデータが記録される。
【００４９】
そして、Ｓ１０５では、メインデータ中に他にオブジェクトが含まれているか否かが判断され、メインデータ中のすべてのオブジェクトについてテーブル内への登録が完了するまで上記工程が繰り返し実行される。
【００５０】
Ｓ１０６では、他に処理すべきドキュメントがあるかどうかが判断される。
【００５１】
本実施形態では、すべてのドキュメントについてオブジェクト管理テーブルの作成または更新の処理を行ったが、この処置はユーザが指示したドキュメントのみに対して行ってもかまわない。
【００５２】
以下に、メインデータである文書からオブジェクトを抽出し、オブジェクト管理テーブルを作成または更新を行う処理を具体的に説明する。本実施形態では、図２０のようにタグ付けされた文書要素の構造からなる文書を用いて説明を行う。
【００５３】
それぞれ文書要素は、所定のタグとそれに対応した終端タグで囲まれることで表現される。
【００５４】
例えば表Ｂは、＜Table＞“表Ｂ．Xls”＜/Table＞で記述される。
【００５５】
このように記述される文書を解析し、オブジェクトに対応したタグを見つけることによりオブジェクトの抽出が可能となる。
【００５６】
Ｓ１０１で処理対象としての文書の選択を行う。
【００５７】
前記Ｓ１０２で図表のオブジェクトである“表Ｂ．Xls”が抽出されると、“表Ｂ．Xls”のファイルの属性をＯＳに問い合わせると、ファイルタイプ“Ｘｌｓ”、ファイル容量“１５ＫＢ”等の情報を得る（Ｓ１０３）。
【００５８】
Ｓ１０４では、上記ステップで得たオブジェクト“表Ｂ．Xls”に関する情報（ファイル名“表Ｂ”、ファイルタイプ“Ｘｌｓ”、ファイル容量“１５ＫＢ”）をオブジェクト管理テーブルに追加する。初期設定では、オブジェクトの情報が追加されるたびに「並び順」が順次付与される。また、表示は「する」が設定される。
【００５９】
以上のようなステップによりオブジェクト管理テーブルの作成または更新が行われ、Ｓ１０５，Ｓ１０６により他に処理すべきドキュメントがあるかどうか判断されすべてのドキュメントに対して処理を行う。
【００６０】
図１９には、アイコン表示処理ルーチンが示されている。ちなみにこのルーチンは各メインアイコンの表示ごとに実行される。
【００６１】
Ｓ２０１では、オブジェクト管理テーブルが参照され、Ｓ２０２では、あらかじめ設定された表示条件（表示モード及び表示ルール）にしたがってメインアイコン及びサブアイコンの表示が実行される。そして、Ｓ２０３では、他のメインデータがあるか否かが判断され、全てのメインデータについて上記工程が繰り返し実行される。
【００６２】
上記のＳ２０２において、例えば図２などに示したような重ね合わせ表示モードが選択された場合の図１６アイコン操作処理プログラム２１２の処理を説明する。
【００６３】
表示すべきメインデータの文書に対応するオブジェクト管理テーブルを参照する。オブジェクト管理テーブルの「並び順」の項目の最も大きな値のオブジェクトのサブアイコンを表示する。
【００６４】
次に、「並び順」が逆順で次のオブジェクトのサブアイコンを、所定量だけずらした位置に重ね合わせ表示を行う。この場合、左方向および下方向に所定量だけずらして重ね合わせ表示を行う。
【００６５】
このような処理をオブジェクト管理テーブルの「並び順」の逆順に順次サブアイコンの表示を行い、最後に左斜め下にメインアイコンを表示する処理を実行する。
【００６６】
すなわち、各アイコンを重ね合わせて表示するため、一番手前側に来るメインアイコンが優先表示される処理が実行される。なお、図３などに示した並列表示モードが選択されている場合、メインアイコンから順次サブアイコンが表示されることになる。
【００６７】
アイコンと共にファイル名などのタイトルを表示する場合には、一番上に存在するメインアイコンについてのみそれを表示するようにしてもよく、必要に応じて、各アイコンごとにタイトルを表示するようにしてもよい。
【００６８】
また、表示すべきアイコンの数が一定値より多い場合には、表示方法を自動変更するようにしてもよい。例えば、図９（Ｂ）に示した展開表示が選択されている場合であっても、（Ａ）に示した通常表示が行われるようにしてもよい。
【００６９】
本実施形態における各メインアイコンおよびサブアイコンは、各ファイルの実体を象徴するアイコンであってもよいし、各ファイルの格納先情報である参照情報のみからなるリファレンスアイコンであってもよい。
【００７０】
【発明の効果】
以上説明したように、本発明によれば、メインアイコンが表示されている状態において、メインデータに埋込まれ又はリンク付けされたサブデータを直感的に認識することが可能となる。また、本発明によれば、メインデータに埋込まれ又はリンク付けされたサブデータを直接的にハンドリングすることが可能となる。
【図面の簡単な説明】
【図１】  ファイル構造とサブアイコンの表示例を示す図である。
【図２】  サブアイコンの組合せ表示例を示す図である。
【図３】  サブアイコンの並列表示例を示す図である。
【図４】  小サブアイコンの重ね合わせ表示例を示す図である。
【図５】  小サブアイコンの並列表示例を示す図である。
【図６】  サブアイコンの組合せ表示例を示す図である。
【図７】  サブアイコンのページ別表示例を示す図である。
【図８】  個別表示モードとカテゴリ別表示例を示す図である。
【図９】  通常表示モードと展開表示モードを示す図である。
【図１０】  各データ種別に応じたアイコンの形態を示す図である。
【図１１】  サブアイコン表示例を示す図である。
【図１２】  サブアイコンに対するオープン操作を示す図である。
【図１３】  サブアイコンのコピー時の操作を示す図である。
【図１４】  サブアイコンに対応した編集メニューの表示例を示す図である。
【図１５】  サブアイコンの順番換えを行う操作を示す図である。
【図１６】  本発明に係るアイコン表示処理装置の具体的な構成例を示すブロック図である。
【図１７】  オブジェクト管理テーブルの具体的な構成例を示す図である。
【図１８】  オブジェクト管理テーブルの作成ルーチンを示すフローチャートである。
【図１９】  アイコンの表示ルーチンを示すフローチャートである。
【図２０】  タグ付けされた文書を示す図である。
【符号の説明】
１０  メインアイコン、１２，１４  サブアイコン、２００  内部バス、２０４  入力部、２０６  表示部、２０８  プログラム記憶部、２１０  データ記憶部、２１２  アイコン操作処理プログラム、２１３  アイコン表示処理プログラム、２１４  オブジェクト管理テーブル。
【図１】
0003956553.tif 000002
【図２】
0003956553.tif 000003
【図３】
0003956553.tif 000004
【図４】
0003956553.tif 000005
【図５】
0003956553.tif 000006
【図６】
0003956553.tif 000007
【図７】
0003956553.tif 000008
【図８】
0003956553.tif 000009
【図９】
0003956553.tif 000010
【図１０】
0003956553.tif 000011
【図１１】
0003956553.tif 000012
【図１２】
0003956553.tif 000013
【図１３】
0003956553.tif 000014
【図１４】
0003956553.tif 000015
【図１５】
0003956553.tif 000016
【図１６】
0003956553.tif 000017
【図１７】
0003956553.tif 000018
【図１８】
0003956553.tif 000019
【図１９】
0003956553.tif 000020
【図２０】
0003956553.tif 000021